(57)【特許請求の範囲】
【請求項１】
台板と、
前記台板と平行するように前記台板の上に具備され、前記台板と平行するように回転可能な第１回転板と、
前記第１回転板とヒンジ結合され、ヒンジ軸を中心に回転可能な第２回転板と、
前記第１回転板と前記第２回転板が成す角度を判読するための角度計と、
前記第２回転板の上に具備される羅針盤を含む測定手段と、を含み、
前記台板に対する前記第１回転板の回転角度を確認するため、前記台板は前記第１回転板の周縁に沿って目盛りを有する、
ことを特徴とする走向及び傾斜測定装置。
【請求項２】
台板と、
前記台板と平行するように前記台板の上に具備され、前記台板と平行するように回転可能な第１回転板と、
前記第１回転板とヒンジ結合され、ヒンジ軸を中心に回転可能な第２回転板と、
前記第１回転板と前記第２回転板が成す角度を判読するための角度計と、
前記第２回転板の上に具備される羅針盤を含む測定手段と、
前記台板と平行し、回転可能に連結され、前記台板が地層面と平行に配置されるように補助する補助板と、を含む、
ことを特徴とする走向及び傾斜測定装置。
【請求項３】
前記測定手段は、前記第２回転板の水平を確信するための水平計を更に含むことを特徴とする請求項１または２に記載の走向及び傾斜測定装置。
【請求項４】
前記角度計は、前記ヒンジ軸の側面に具備されることを特徴とする請求項１または２に記載の走向及び傾斜測定装置。
【請求項５】
台板と、
前記台板と平行するように前記台板の上に具備され、前記台板と平行するように回転可能な第１回転板と、
前記第１回転板の上にヒンジ結合され、前記ヒンジ結合部位のヒンジ軸を中心に回転可能で、測定手段を支持するための第２回転板と、
前記第１回転板と垂直に配置され、前記第１回転板と前記第２回転板が成す角度を確認するための角度計と、を含み、
前記台板に対する前記第１回転板の回転角度を確認するため、前記台板は前記第１回転板の周縁に沿って目盛りを有する、
ことを特徴とする走向及び傾斜測定補助装置。
【請求項６】
台板と、
前記台板と平行するように前記台板の上に具備され、前記台板と平行するように回転可能な第１回転板と、
前記第１回転板の上にヒンジ結合され、前記ヒンジ結合部位のヒンジ軸を中心に回転可能で、測定手段を支持するための第２回転板と、
前記第１回転板と垂直に配置され、前記第１回転板と前記第２回転板が成す角度を確認するための角度計と、
前記台板と平行し、回転可能に連結され、前記台板が地層面と平行に配置されるように補助する補助板と、を含む、
ことを特徴とする走向及び傾斜測定補助装置。
【請求項７】
前記角度計は、前記ヒンジ軸の側面に具備されることを特徴とする請求項５または６に記載の走向及び傾斜測定補助装置。
【請求項８】
前記第２回転板は、前記測定手段を固定するための固定部材を更に含むことを特徴とする請求項５または６に記載の走向及び傾斜測定補助装置。
【発明の詳細な説明】
【技術分野】
【０００１】
本発明は、走向及び傾斜測定装置及び走向及び傾斜測定補助装置に関するものであり、地層面の走向と傾斜を容易に測定するための走向及び傾斜測定装置及び走向及び傾斜測定補助装置に関するものである。
【背景技術】
【０００２】
一般的に、地層面と水平面を成す交線の方向を走向といい、前記地層面と前記水平面が成す角を傾斜という。実際の野外調査では、前記走向は羅針盤の側面を前記地層面に支持して水平を合わせた後、磁針の方向を読んで測定する。傾斜は水平面に垂直に傾斜計を配置し、角度を読んで測定する。
【０００３】
しかし、前記走向測定の際、前記羅針盤の側面のみを前記地層面に支持して前記羅針盤の水平を維持することは難しい。また、前記傾斜測定の際、前記傾斜計が前記水平面に垂直に配置された状態を維持することは難しい。従って、前記羅針盤と傾斜計を利用して前記走向と傾斜を再現性よく便利に測定することは難しい。また、前記走向と傾斜をそれぞれ測定しなければならないという不便さがあった。
【発明の概要】
【発明が解決しようとする課題】
【０００４】
本発明は、走向と傾斜を同時に再現性よく便利に測定し得る走向及び傾斜測定装置を提供する。
【０００５】
本発明は、走向と傾斜を同時に再現性よく便利に測定し得る走向及び傾斜測定補助装置を提供する。
【課題を解決するための手段】
【０００６】
本発明による走向及び傾斜測定装置は、台板と、前記台板と平行するように前記台板の上に具備され、前記台板と平行するように回転可能な第１回転板と、前記第１回転板とヒンジ結合され、ヒンジ軸を中心に回転可能な第２回転板と、前記第１回転板と前記第２回転板が成す角度を判読するための角度計及び前記第２回転板の上に具備される羅針盤を含む測定手段を含んでもよい。
【０００７】
本発明の一実施例によると、前記測定手段は、前記第２回転板の水平を確認するための水平計を更に含んでもよい。
【０００８】
本発明の一実施例によると、前記角度計は前記ヒンジ軸の側面に具備されてもよい。
【０００９】
本発明の一実施例によると、前記台板に対する前記第１回転板の回転角度を確認するため、前記台板は前記第１回転板の周縁に沿って目盛りを有してもよい。
【００１０】
本発明の一実施例によると、前記走向及び傾斜測定装置は前記台板と平行し、回転可能に連結され、前記台板が地層面と平行して配置されるように補助する補助板を更に含んでもよい。
【００１１】
本発明による走向及び傾斜測定補助装置は、台板と、前記台板と平行するように前記台板の上に具備され、前記台板と平行するように回転可能な第１回転板と、前記第１回転板の上にヒンジ結合され、前記ヒンジ結合部位のヒンジ軸を中心に回転可能で、測定手段を指示するための第２回転板及び前記第１回転板と垂直するように配置され、前記第１回転板と前記第２回転板が成す角度を確認するための角度計を含んでもよい。
【００１２】
本発明の一実施例によると、前記角度計は前記ヒンジ軸の側面に具備されてもよい。
【００１３】
本発明の一実施例によると、前記台板に対する前記第１回転板の回転角度を確認するため、前記台板は前記第１回転板の周縁に沿って目盛りを有してもよい。
【００１４】
本発明の一実施例によると、前記走向及び傾斜測定補助装置は前記台板と平行し、回転可能に連結され、前記台板が地層面と平行して配置されるように補助する補助板を更に含んでもよい。
【００１５】
本発明の一実施例によると、前記第２回転板は、前記測定手段を固定するための固定部材を更に含んでもよい。
【発明の効果】
【００１６】
本発明による走向及び傾斜測定装置と補助装置は、第２回転板が水平であるとき、羅針盤の角度と第１回転板と第２回転板の間の角度を利用して走向と傾斜を同時に測定し得る。また、前記走向及び傾斜測定装置と補助装置は台板が地層面上に安定的に配置されるため、前記走向と傾斜を再現性よく便利に測定し得る。
【図面の簡単な説明】
【００１７】
【図１】本発明の一実施例による走向及び傾斜測定装置を説明するための平面図である。
【図２】図１に示した走向及び傾斜測定装置を説明するための側面図である。
【図３】図１に示した走向及び傾斜測定装置が地層面に置かれた状態を説明するための図である。
【図４】図１に示した走向及び傾斜測定装置が地層面に置かれた状態を説明するための図である。
【図５】本発明の一実施例による走向及び傾斜測定補助装置を説明するための平面図である。
【図６】図５に示した走向及び傾斜測定補助装置を説明するための側面図である。
【発明を実施するための形態】
【００１８】
以下、添付した図面を参照して本発明の実施例による走向及び傾斜測定装置及び走向及び傾斜測定補助装置について詳細に説明する。本発明は多様な変更を加えてもよく、様々な形態を有し得るため、特定実施例を図面に例示して本文で詳細に説明する。しかし、これは本発明を特定な開示形態に対して限定しようとするものではなく、本発明の思想及び技術範囲に含まれる全ての変更、均等物乃至代替物を含むものとして理解されるべきである。各図面を説明するに当たり、類似した参照符号を類似した構成要素に対して使用した。添付した図面において、構造物の寸法は本発明の明確性を期するために実際より拡大して示したものである。
【００１９】
第１、第２などの用語は多用な構成要素を説明するのに使用されてもよいが、前記構成要素は前記用語によって限定されてはいけない。前記用語は一つの構成要素を他の構成要素から区別する目的にのみ使用される。例えば、本発明の権利範囲を逸脱しないで第１構成要素は第２構成要素として命名されてもよく、類似して第２構成要素も第１構成要素として命名されてもよい。
【００２０】
本出願で使用した用語は単に特定な実施例を説明するために使用されたものであって、本発明を限定する意図はない。単数の表現は文脈上明白に意味が異ならない限り、複数の表現を含む。本出願において、「含む」又は「有する」などの用語は明細書上に記載された特徴、数字、段階、動作、構成要素、部分品又はそれらを組み合わせたものが存在するということを指定するのであり、一つ又はそれ以上の他の特徴や数字、段階、動作、構成要素、部分品又はそれらを組み合わせたものの存在又は付加の可能性を予め排除しないものとして理解されるべきである。
【００２１】
異なって定義されない限り、技術的であるか科学的な用語を含んでここで使用される全ての用語は、本発明の属する技術分野における通常の知識を有する者によって一般的に理解されるものと同じ意味を持っている。一般的に使用される事前に定義されているものと同じ用語は、関連技術の文脈上で有する意味と一致する意味を有するものとして解釈されるべきであり、本出願で明白に定義しない限り、理想的であるか過度に形式的な意味で解釈されない。
【００２２】
図１は、本発明の一実施例による走向及び傾斜測定装置を説明するための平面図であり、図２は、図１に示した走向及び傾斜測定装置を説明するための側面図であり、図３及び図４は、図１に示した走向及び傾斜測定装置が地層面に置かれた状態を説明するための図である。
【００２３】
図１乃至図４を参照すると、走向及び傾斜測定装置１００は、台板１１０、第１回転板１２０、第２回転板１３０、角度計１４０、測定手段１５０及び補助板１６０を含む。
【００２４】
台板１１０は、多様な平板状を有してもよい。例えば、台板１１０は四角平板状を有してもよい。従って、台板１１０は地層面１０と接触して地層面１０と平行するように配置されてもよい。
【００２５】
第１回転板１２０は、台板１１０の上に台板１１０と平行するように具備される。また、第１回転板１２０は、台板１１０と回転可能に連結される。例えば、第１回転板１２０と台板１１０は回転軸１１２によって互いに連結されてもよい。従って、第１回転板１２０は台板１１０と平行するように回転し得る。
【００２６】
第１回転板１２０の固定が容易になるように円盤状を有してもよい。この際、回転軸１１２は第１回転板１２０の中心と連結される。一方、第１回転板１２０は半円板、多角板など、多様な平板状を有してもよい。
【００２７】
一方、台板１１０は第１回転板１２０の周縁に沿って目盛り１１４を有する。従って、目盛り１１４を利用して台板１１０に対する第１回転板１２０の回転角度を容易に確認し得る。第１回転板１２０と台板１１０にそれぞれ基準線を表示し、前記基準線の間の角度を確認することで第１回転板１２０の回転角度を更に容易に確認し得る。
【００２８】
第２回転板１３０は第１回転板１２０の上に具備され、第１回転板１２０とヒンジ結合される。例えば、第２回転板１３０は四角平板状を有し、一側面が第１回転板１２０とヒンジ結合される。第２回転板１３０はヒンジ軸１２２を中心に回転してもよい。例えば、第１回転板１２０が円盤状を有するとき、ヒンジ軸１２２は第１回転板１２０を横切るように配置される。
【００２９】
台板１１０が地層面１０に置かれた状態で第１回転板１２０及び第２回転板１３０の回転をそれぞれ調節し、第２回転板１３０の水平面と平行するように配置してもよい。前記水平面は仮想の海水面で、重力方向に垂直な仮想の平面である。台板１１０が地層面１０の上に配置され、台板１１０と第１回転板１２０が平行するため、地層面１０と第１回転板１２０が平行する。第２回転板１３０が水平面に平行するように配置されるとき、第１回転板１２０と第２回転板１３０が成す角度は地層面１０と水平面が成す角度と同じである。即ち、第１回転板１２０と第２回転板１３０が成す角度は地層面１０の傾斜である。
【００３０】
角度計１４０は、第２回転板１３０が水平面に平行するように配置されるとき、第１回転板１２０と第２回転板１３０が成す角度を判読する。第１回転板１２０と第２回転板１３０が成す角度は地層面１０の傾斜と同じであるため、第１回転板１２０と第２回転板１３０が成す角度を判読して地層面１０の傾斜を確認し得る。
【００３１】
角度計１４０は、第１回転板１２０と垂直になるように配置されてもよい。例えば、角度計１４０はヒンジ軸１２２の側面に具備されてもよい。角度計１４０はヒンジ軸１２２の側面に付着されるか、ヒンジ軸１２２の側面に角度を測定するための目盛りが直接表示されてもよい。この際、角度計１４０の中心はヒンジ軸１２２と同軸を成す。
【００３２】
第１回転板１２０と第２回転板１３０の間の角度を用意に測定するため、第２回転板１２０の側面に基準線が表示されてもよい。
【００３３】
測定手段１５０は、羅針盤１５２を含んでもよい。羅針盤１５２は第２回転板１３０の上に具備され、第２回転板１３０が水平面に平行するように配置されるとき、第１回転板１２０と第２回転板１３０の交線方向を測定する。地層面１０と第１回転板１２０が平行し、前記水平面と第２回転板１３０が平行するため、第１回転板１２０と第２回転板１３０の交線方向は地層面１０の走向と同じである。従って、羅針盤１５２で磁北を基準に第１回転板１２０と第２回転板１３０の交線の方位を測定することで、地層面１０の走向を測定し得る。
【００３４】
また、測定手段１５０は、水平計１５４を更に含んでもよい。
【００３５】
水平計１５４は第２回転板１３０の上に具備され、水平計１５４を利用して第２回転板１３０の水平を正確に確認する。
【００３６】
一例に、羅針盤１５２と水平計１５４は一体に具備されてもよい。他の例に、羅針盤１５２と水平計１５４は分離して具備されてもよい。
【００３７】
測定手段１５０は第２回転板１３０の上に固定されることが好ましいが、測定手段１５０は第２回転板１３０の上に着脱可能に具備されてもよい。
【００３８】
第２回転板１３０が水平になるように配置されるとき、台板１１０に対する第１回転板１２０の回転角度及び第１回転板１２０と第２回転板１３０の間の角度を用意に測定するため、第１回転板１２０と第２回転板１３０が回転された状態を維持することが好ましい。一例に、台板１１０と第１回転板１１０の結合及び第１回転板１２０と第２回転板１３０のヒンジ結合を比較的固くし、第１回転板１２０と第２回転板１３０が回転された状態を維持するようにしてもよい。他の例に、別途の固定部材を利用して第１回転板１２０と第２回転板１３０をそれぞれ固定してもよい。
【００３９】
一方、地層面１０の上に線状に配置された線構造と平行し、地層面１０と平行するように地層面１０の上に台板１１０を配置し、第２回転板１３０が平行するように配置されるとき、台板１１０に対する第１回転板１２０の回転角度を測定することで地層面１０の走向と線構造の間の角である面線角を測定し得る。
【００４０】
また、前記線構造と平行し、地層面１０と垂直するように地層面１０の上に台板１１０を配置し、第２回転板１３０が平行するように配置されるとき、台板１１０に対する第１回転板１２０の回転角度を測定することで水平面と線構造が成す角である線傾斜を測定し得る。
【００４１】
補助板１６０は台板１１０と平行し、回転可能に連結される。例えば、補助板１６０は台板１１０の２つの角にそれぞれ配置され得る。補助板１６０は台板１１０が地層面１０と平行して配置されるように補助する。例えば、図４のように地層面１０が一部のみ露出されて台板１１０が安定的に地層面１０と接触されない場合、補助板１６０を開いて台板１１０と補助板１６０を同時に地層面１０と接触させてもよい。従って、地層面１０が一部だけ露出されても、台板１１０を地層面１０と平行に配置させ得る。
【００４２】
走向及び傾斜測定装置１００は、地層面１０の走向と傾斜を同時に測定し得る。また、走向及び傾斜測定装置１００は台板１１０を地層面１０と平行に配置し得るため、地層面１０の走向と傾斜を正確に再現性よく測定し得る。従って、走向及び傾斜測定装置１００は、地層面１０が一部だけ露出されても補助板１６０を利用して台板１１０を地層面１０と平行に配置させ得る。
【００４３】
走向及び傾斜測定装置１００は、前記線構造の面線角及び線走向の測定にも使用され得る。
【００４４】
以下では、走向及び傾斜測定装置１００を利用した地層面１０の走向及び傾斜測定について説明する。
【００４５】
地層面１０と台板１１０が平行するよう、地層面１０に走向及び傾斜測定装置１００を安着させる。地層面１０が一部だけ露出された場合、補助板１６０を利用して台板１１０が地層面１０と平行するように配置する。
【００４６】
次に、第１回転板１２０及び第２回転板１３０を回転させ、第２回転板１３０を水平上に配置する。第２回転板１３０の水平可否は、水平計１５４を利用して確認する。
【００４７】
次に、羅針盤１５２で磁北を基準に第１回転板１２０と第２回転板１３０の交線の方位を測定することで、地層面１０の走向を測定する。また、角度計１４０で第１回転板１２０と第２回転板１３０が成す角度を測定することで、地層面１０の傾斜を測定し得る。
【００４８】
図５は、本発明の一実施例による走向及び傾斜測定補助装置を説明するための平面図であり、図６は、図５に示した走向及び傾斜測定補助装置を説明するための側面図である。
【００４９】
図５及び図６を参照すると、走向及び傾斜測定補助装置２００は、台板２１０、第１回転板２２０、第２回転板２３０、角度計２４０及び補助板２５０を含む。
【００５０】
台板２１０、第１回転板２２０、第２回転板２３０、角度計２４０及び補助板２５０に対する詳しい説明は、図１乃至図４を参照した台板１１０、第１回転板１２０、第２回転板１３０、角度計１４０及び補助板１６０に対する説明と実質的に同じであるため省略する。
【００５１】
追加的に、第２回転板２３０は地層面の走向と第２回転板２３０の水平を測定するための測定手段２０を支持する。
【００５２】
一例に、測定手段２０は、前記地層面の走向を測定するための羅針盤と第２回転板２３０の水平を測定するための水平計を含んでもよい。この際、前記羅針盤と水平計は一体に形成されてもよく、互いに分離して形成されてもよい。
【００５３】
他の例に、測定手段２０は、前記地層面の走向を測定するための羅針盤アプリケーションと第２回転板２３０の水平を測定するための水平計アプリケーションが設置された携帯電話（ｍｏｂｉｌｅ  ｐｈｏｎｅ）を含んでもよい。
【００５４】
測定手段２０は、第２回転板２３０が水平になるように配置されるとき、第１回転板２２０と第２回転板２３０の交線方向を測定し得る。前記地層面と第１回転板２２０が平行し、前記水平面と第２回転板２３０が平行するため、第１回転板２２０と第２回転板２３０の交線方向は前記地層面の走向と同じである。従って、測定手段２０で磁北を基準に第１回転板２２０と第２回転板２３０の交線の方位を測定することで、前記地層面の走向を測定し得る。
【００５５】
また、測定手段２０は第２回転板２３０の上に具備され、第２回転板２３０の水平を正確に確認し得る。
【００５６】
第２回転板２３０は、測定手段２０を固定するための固定部材２３２を更に含んでもよい。固定部材２３２は、第２回転板２３０の上に置かれた測定手段２０が第２回転板２３０から離脱されないように固定する。例えば、固定部材２３２はクランプ、クリップなど多様な形態を有してもよい。
【００５７】
また、第２回転板２３０は、測定手段２０を収容するための溝（図示せず）を更に含んでもよい。測定手段２０が前記溝に収容されるため、測定手段２０を第２回転板２３０に正確に安着され、測定手段２０を更に安定的に固定し得る。
【００５８】
走向及び傾斜測定補助装置２００は、第２回転板２３０の上に地層面の走向と第２回転板２３０の水平を測定するための測定手段２０を装着することで、前記地層面の走向と傾斜を同時に測定し得る。また、走向及び傾斜測定補助装置２００は台板２１０を前記地層面と平行に配置し得るため、前記地層面の走向と傾斜を正確に再現性よく測定し得る。そして、走向及び傾斜測定補助装置２００は、前記地層面が一部だけ露出されても補助板２５０を利用して台板２１０を前記地層面と平行に配置させ得る。
【００５９】
走向及び傾斜測定補助装置２００は、線構造の面線角及び線走向の測定にも使用され得る。
【００６０】
走向及び傾斜測定補助装置２００を利用した地層面の走向及び傾斜測定は、第２回転板２３０に測定手段２０を撞着した後、走向及び傾斜測定装置１００を利用した地層面１０の走向及び傾斜測定と同じ方向で行ってもよい。
【産業上の利用可能性】
【００６１】
上述したように、本発明による走向及び傾斜測定装置と補助装置は、第２回転板が水平であるとき、羅針盤の角度と第１回転板と第２回転板の間の角度を利用して走向と傾斜を同時に測定し得る。また、前記走向及び傾斜測定装置と補助装置は台板が地層面上に安定的に配置されるため、前記地層面の走向と傾斜を再現性よく便利に測定し得る。
【００６２】
以上、本発明の好ましい実施例を参照して説明したが、該当技術分野の熟練した当業者は下記の特許請求の範囲に記載された本発明の思想及び領域から逸脱しない範囲内で本発明を多様に修正及び変更させ得るということを理解できるはずである。
【符号の説明】
【００６３】
１００  走向及び傾斜測定装置
１１０  台板
１２０  第１回転板
１３０  第２回転板
１４０  角度計
１５０  測定手段
１６０  補助板
【図１】
0005536828.tif 000002
【図２】
0005536828.tif 000003
【図３】
0005536828.tif 000004
【図４】
0005536828.tif 000005
【図５】
0005536828.tif 000006
【図６】
0005536828.tif 000007